(57)【特許請求の範囲】
【請求項１】
躯体よりも外側に位置する室外側パネル及び室内側パネルの上端に接続される上枠と、
前記室外側パネル及び前記室内側パネルの下端に接続される下枠と、
前記室外側パネル及び前記室内側パネルの一側端に接続され、かつ躯体よりも外側に位置する右たて枠と、
前記室外側パネル及び前記室内側パネルの他側端に接続され、かつ躯体よりも外側に位置する左たて枠とを備え、
前記室外側パネルと前記室内側パネルとの間には中間空気層が形成され、
前記上枠は、前記中間空気層を外部に連通させる上通気口を備え、
前記下枠は、前記中間空気層を外部に連通させる下通気口を備えるカーテンウォールユニット。
【請求項２】
前記上枠は、前記室外側パネルの上端に接続される上室外枠と、前記室内側パネルの上端に接続される上室内枠とを備え、前記上通気口は、前記上室外枠と前記上室内枠との間隙であり、前記下枠は、前記室外側パネルの下端に接続される下室外枠と、前記室内側パネルの下端に接続される下室内枠とを備え、前記下通気口は、前記下室外枠と前記下室内枠との間隙である請求項１に記載のカーテンウォールユニット。
【請求項３】
前記上通気口及び前記下通気口は、前記中間空気層を鉛直方向に向けて外部に連通させる請求項１又は２に記載のカーテンウォールユニット。
【請求項４】
前記下通気口に接続され、外部の空気を前記中間空気層に取り入れる給気ユニットを更に備える請求項１から３のいずれかに記載のカーテンウォールユニット。
【請求項５】
前記上通気口に接続され、前記中間空気層から外部に空気を排出する排気ユニットをさらに備える請求項１から４のいずれかに記載のカーテンウォールユニット。
【請求項６】
鉛直方向に配置された少なくとも２つの請求項１から３のいずれかに記載の前記カーテンウォールユニットを備え、
鉛直方向下側に設けられたカーテンウォールユニットの上通気口が、鉛直方向上側に設けられたカーテンウォールユニットの下通気口と連通するように、前記少なくとも２つのカーテンウォールユニットが配置されるカーテンウォールユニット組立体。
【請求項７】
鉛直方向において最も下側に配置されたカーテンウォールユニットの下通気口に取り付けられ、外部の空気を前記中間空気層に取り入れる給気ユニットをさらに備える請求項６に記載のカーテンウォールユニット組立体。
【請求項８】
鉛直方向において最も上側に配置されたカーテンウォールユニットの上通気口に取り付けられ、外部の空気を前記中間空気層に排出する排気ユニットをさらに備える請求項６又は７に記載のカーテンウォールユニット組立体。
【請求項９】
請求項１から５のいずれかに記載の前記カーテンウォールユニット及び/又は請求項６から８のいずれかに記載の前記カーテンウォールユニット組立体を備える壁面構造物。
【発明の詳細な説明】
【技術分野】
【０００１】
本発明は、建築物の外壁に用いられ、室外側パネルと室内側パネルとを備えるカーテンウォールユニット及びカーテンウォールユニット組立体、並びにカーテンウォールユニット及び／又はカーテンウォールユニット組立体を備える壁面構造物に関する。
【背景技術】
【０００２】
従来、構造物の外面を構成する室外側パネルと、室外側パネルの内側に間隔をあけて配置された室内側パネルとを有するダブルスキン構造が知られている。室外側パネルは構造物の外側に取り付けられ、室内側パネルは構造物のスラブの間に取り付けられる。室外側パネルと室内側パネルとの間の空間をキャビティ部といい、キャビティ部は構造物の複数階層に渡って設けられる（特許文献１参照）。
【先行技術文献】
【特許文献】
【０００３】
【特許文献１】特開２０１３−１５５５８４号明細書
【発明の概要】
【発明が解決しようとする課題】
【０００４】
しかし、特許文献１に記載のダブルスキン構造では、室内側パネルをスラブの間に取り付けた後に、室外側パネルを建築物の外側に取り付けるという複数の工程が必要となるため、施工が煩雑となり、工期が長くなるとともに施工費用が高くなるといった課題がある。このようなダブルスキン構造の施工方法は、特に、複数階層に跨がるカーテンウォールを構築する際に用いられる。これに対し、一階層分のカーテンウォールを構築する際には、室外側パネルと室内側パネルとを一体的に備えるユニット式のカーテンウォールユニットを建築物の外側に取り付ける手法が知られている。例えば、建築物において、一階層分のカーテンウォールを構築する部分と、複数階層に跨がるカーテンウォールを構築する部分とが併存する場合、異なる施工手法を用いる必要があることから、施工の煩雑さがより顕著となる。また、ある建築物の一外面に、上記ダブルスキン構造とカーテンウォールユニットとを併存させる場合には、室外側パネルの間に設けられる方立や無目の大きさが互いに異なるため、建築物外面の意匠が統一感を失ってしまうおそれがある。
【０００５】
本発明はこのような課題に鑑みてなされたものであり、建築物外面の意匠に統一感を持たせながら、建築物の複数階層に渡るカーテンウォールを容易に施工することができるカーテンウォールユニット及びカーテンウォールユニット組立体、並びにカーテンウォールユニット及び／又はカーテンウォールユニット組立体を備える壁面構造物を得ることを目的とする。
【課題を解決するための手段】
【０００６】
本願第１の発明によるカーテンウォールユニットは、室外側パネル及び室内側パネルの上端に接続される上枠と、室外側パネル及び室内側パネルの下端に接続される下枠とを備え、室外側パネルと室内側パネルとの間には中間空気層が形成され、上枠は、中間空気層を外部に連通させる上通気口を備え、下枠は、中間空気層を外部に連通させる下通気口を備えることを特徴とする。
【０００７】
上枠は、室外側パネルの上端に接続される上室外枠と、室内側パネルの上端に接続される上室内枠とを備え、上通気口は、上室外枠と上室内枠との間隙であり、下枠は、室外側パネルの下端に接続される下室外枠と、室内側パネルの下端に接続される下室内枠とを備え、下通気口は、下室外枠と下室内枠との間隙であることが好ましい。上枠と下枠に特別な加工を施すことなく、上通気口及び下通気口を容易に形成できる。
【０００８】
上通気口及び下通気口は、中間空気層を鉛直方向に向けて外部に連通させることが好ましい。これにより、カーテンウォールユニットを鉛直方向に並べて躯体に取り付けるのみで、上通気口と下通気口とを容易に連通させることができ、また、中間空気層内の空気を効率よく鉛直方向下方から上方に換気できる。
【０００９】
下通気口に接続され、外部の空気を中間空気層に取り入れる給気ユニットを更に備えることが好ましい。これにより、外部から給気ユニットを経て中間空気層に空気を給気できる。
【００１０】
上通気口に接続され、中間空気層から外部に空気を排出する排気ユニットをさらに備えることが好ましい。これにより、中間空気層の空気を排気ユニットから排出することができる。
【００１１】
本願第２の発明によるカーテンウォールユニット組立体は、鉛直方向に配置された少なくとも２つのカーテンウォールユニットを備え、鉛直方向下側に設けられたカーテンウォールユニットの上通気口が、鉛直方向上側に設けられたカーテンウォールユニットの下通気口と連通するように、少なくとも２つのカーテンウォールユニットが配置されることを特徴とする。
【００１２】
鉛直方向において最も下側に配置されたカーテンウォールユニットの下通気口に取り付けられ、外部の空気を中間空気層に取り入れる給気ユニットさらに備えることが好ましい。これにより、外部から給気ユニットを経て中間空気層に空気を給気できる。
【００１３】
鉛直方向において最も上側に配置されたカーテンウォールユニットの上通気口に取り付けられ、外部の空気を中間空気層に排出する排気ユニットをさらに備えることが好ましい。これにより、中間空気層の空気を排気ユニットから外部に排出することができる。
【００１４】
本願第３の発明による壁面構造物は、前記カーテンウォールユニット及び/又は前記カーテンウォールユニット組立体を備えることを特徴とする。
【発明の効果】
【００１５】
本発明によれば、建築物外面の意匠に統一感を持たせながら、建築物の複数階層に渡るカーテンウォールを容易に施工することができるカーテンウォールユニット及びカーテンウォールユニット組立体、並びにカーテンウォールユニット及び／又はカーテンウォールユニット組立体を備える壁面構造物が提供される。
【図面の簡単な説明】
【００１６】
【図１】建築物に取り付けられたカーテンウォールユニットを室外側パネル側から見た図である。
【図２】図１のＩＩ−ＩＩ線における断面図である。
【図３】中間カーテンウォールユニットの縦断面図である。
【図４】図１のＩＶ−ＩＶ線における断面図である。
【図５】給気用カーテンウォールユニットの一部縦断面図である。
【図６】排気用カーテンウォールユニットの一部縦断面図である。
【符号の説明】
【００１７】
１  壁面構造物
１０  カーテンウォール組立体
１００  給気用カーテンウォールユニット
１６３  中間空気層
３００  中間カーテンウォールユニット
５００  排気用カーテンウォールユニット
３０１  室外側パネル
３０２ａ  上室内側パネル
３０２ｂ  下室内側パネル
３１０  下枠
３２０  上枠
３３０  右たて枠
３４０  左たて枠
３５０  中間室内枠
３６１  下通気口
３６２  上通気口
３６３  中間空気層
【発明を実施するための形態】
【００１８】
本発明による一実施形態であるカーテンウォール組立体１０について図１から図７を用いて説明する。
【００１９】
図１を参照すると、建築物２０の躯体に壁面として壁面構造物１が取り付けられる。壁面構造物１はカーテンウォール組立体１０を備える。カーテンウォール組立体１０は、給気用カーテンウォールユニット１００と、中間カーテンウォールユニット３００と、排気用カーテンウォールユニット５００とを主に備える。各カーテンウォールユニットは、鉛直下方から上方に向けて、給気用カーテンウォールユニット１００、２枚の中間カーテンウォールユニット３００、排気用カーテンウォールユニット５００という順に並べられて建築物２０に取り付けられる。以下、建築物２０に取り付けられた状態において鉛直方向に沿う長さを高さ、建築物２０の外壁面と平行かつ水平方向に沿う長さを幅、建築物２０の外壁面と直角かつ水平方向に沿う長さを厚さという。
【００２０】
図２から４を参照して、中間カーテンウォールユニット３００について説明する。中間カーテンウォールユニット３００は、室外側パネル３０１と、上室内側パネル３０２ａと、下室内側パネル３０２ｂと、下枠３１０と、上枠３２０と、右たて枠３３０と、左たて枠３４０と、中間室内枠３５０とを一体的に備えるユニット式のカーテンウォールユニットである。
【００２１】
室外側パネル３０１は１枚の平板状のフロートガラスから成り、建築物２０の外面を構成する。上室内側パネル３０２ａは平板状の耐火パネルから成り、下室内側パネル３０２ｂは平板状の複層ガラスから成る。上室内側パネル３０２ａ及び下室内側パネル３０２ｂは室外側パネル３０１の室内側に設けられる。
【００２２】
下枠３１０は、アルミニウム合金から成る複数の部材から構成される下室外枠３１１及び下室内枠３１２を備え、幅方向に延びる。下枠３１０の幅は、中間カーテンウォールユニット３００の幅と略同じである。下室外枠３１１と下室内枠３１２との間には間隙、すなわち間隔があけられ、この間隔は鉛直方向に開口する下通気口３６１を形成する。下枠３１０は、室外側パネル３０１及び下室内側パネル３０２ｂの下端に接続される。
【００２３】
上枠３２０は、アルミニウム合金から成る複数の部材から構成される上室外枠３２１及びを備え、幅方向に延びる。上枠３２０の幅は、中間カーテンウォールユニット３００の幅と略同じである。上室外枠３２１及び上室内枠３２２との間には間隙、すなわち間隔があけられ、この間隔は鉛直方向に開口する上通気口３６２を形成する。上枠３２０は、上室内枠３２２に取り付けられたアングル材及びボルト等３６０を用いてスラブ２１ｂに固定される。また、上枠３２０は、室外側パネル３０１及び上室内側パネル３０２ａの上端に接続される。上室内枠３２２は図示されない突起部品を有し、この突起部品は、下室内枠３１２に取り付けた図示されない凹部品と嵌合する。これにより、上室内枠３２２が下室内枠３１２と固定され、中間カーテンウォールユニット３００が上下に隣接する中間カーテンウォールユニット３００と固定される。
【００２４】
中間室内枠３５０は、アルミニウム合金から成る複数の部材から構成され、幅方向に延びる。中間室内枠３５０の幅は、中間カーテンウォールユニット３００の幅と略同じである。
【００２５】
右たて枠３３０及び左たて枠３４０は、鉛直方向に直交する平面においてコの字形の断面を有する略直方体であって、アルミニウム合金から成る（図４参照）。右たて枠３３０及び左たて枠３４０の高さは、中間カーテンウォールユニット３００の高さと略同じである。右たて枠３３０及び左たて枠３４０は、室内側の上端付近に取り付けられたアングル材及びボルト等３６０を用いてスラブ２１ｂに固定される。
【００２６】
図３及び４を用いて室外側パネル３０１を保持する構成について説明する。室外側パネル３０１は、上室外枠３２１、下室外枠３１１、右たて枠３３０、及び左たて枠３４０によって保持される。図３を参照すると、上室外枠３２１には、上室外枠３２１の幅方向の略全長に渡って設けられるアルミニウム合金から成る上枠ガラス保持部材３２３と弾性体から成るシール材３２４とが取り付けられる。上枠ガラス保持部材３２３は、上室外枠３２１に機械的に接続され、弾性体から成るシール材３２５を保持する。室外側パネル３０１は、２本のシール材３２４、３２５の間にそれらの弾性力によって保持される。下室外枠３１１も上室外枠３２１と同様に、アルミニウム合金から成る下枠ガラス保持部材３１３と弾性体から成るシール材３１４とが取り付けられる。下枠ガラス保持部材３１３は、下室外枠３１１に機械的に接続され、弾性体から成るシール材３１５を保持する。室外側パネル３０１は、２本のシール材３１４、３１５の間にそれらの弾性力によって保持される。図４を参照すると、右たて枠３３０には、右たて枠３３０の高さ方向全長に渡って設けられるアルミニウム合金から成る右たて枠保持部材３３１と弾性体から成るシール材３３３とが取り付けられる。右たて枠保持部材３３１は、右たて枠３３０に機械的に接続され、弾性体から成るシール材３３２を保持する。室外側パネル３０１は、２本のシール材３３２、３３３の間にそれらの弾性力によって保持される。左たて枠３４０にも右たて枠３３０と同様に、アルミニウム合金から成る左たて枠保持部材３４１と弾性体から成るシール材３４３とが取り付けられる。左たて骨保持部材３４１は、左たて枠３４０に機械的に接続され、弾性体から成るシール材３４２を保持する。室外側パネル３０１は、２本のシール材３４２、３４３の間にそれらの弾性力によって保持される。
【００２７】
図３を用いて上室内側パネル３０２ａを保持する構成について説明する。上室内側パネル３０２ａは、上室内枠３２２、中間室内枠３５０、右たて枠３３０、及び左たて枠３４０によって保持される。上室内枠３２２と中間室内枠３５０との間には、Ｃ字形状の断面を有する上枠室内保持部材３５１がシール部材３５２、３５３及び充填剤３５４、３５５を介して保持される。上枠室内保持部材３５１においてＣ字形状の内側に上室内側パネル３０２ａが設置される。右たて枠３３０及び左たて枠３４０は、図示されないシール部材及び充填剤を介して上枠室内保持部材３５１を保持する。
【００２８】
図３及び４を用いて下室内側パネル３０２ｂを保持する構成について説明する。下室内側パネル３０２ｂは、中間室内枠３５０、下室内枠３１２、右たて枠３３０、及び左たて枠３４０によって保持される。中間室内枠３５０と下室内枠３１２との間には、下室内側パネル３０２ｂがシール部材３５６、３５７及び充填剤３５８、３５９を介して保持される。図４を参照すると、右たて枠３３０には、右たて枠３３０の高さ方向に沿って中間室内枠３５０と下室内枠３１２との間に設けられるアルミニウム合金から成る右たて枠室内保持部材３３４が取り付けられる。右たて枠室内保持部材３３４は、右たて枠３３０に機械的に接続され、弾性体から成るシール材３３５と充填剤３３６とを介して下室内側パネル３０２ｂを保持する。右たて枠室内保持部材３３４は図示されないヒンジを備える。このヒンジにより、下室内側パネル３０２ｂがヒンジ周りに回転可能となる。左たて枠３４０にも右たて枠３３０と同様に、アルミニウム合金から成る左たて枠室内保持部材３４４が取り付けられる。左たて枠室内保持部材３４４は、左たて枠３４０に機械的に接続され、弾性体から成るシール材３４５と充填剤３４６とを介して下室内側パネル３０２ｂを保持する。
【００２９】
室外側パネル３０１、上室内側パネル３０２ａ、及び下室内側パネル３０２ｂが、下枠３１０、上枠３２０、右たて枠３３０、左たて枠３４０、及び中間室内枠３５０に各々取り付けられた状態において、室外側パネル３０１と上室内側パネル３０２ａ及び下室内側パネル３０２ｂとの間に中間空気層３６３が形成される。上通気口３６２及び下通気口３６１は、中間空気層３６３を鉛直方向に向けて中間カーテンウォールユニット３００の外部に連通させる。
【００３０】
次に、図３を用いて下枠３１０及び上枠３２０について説明する。前述のように、下枠３１０は下室外枠３１１及び下室内枠３１２を主に備え、上枠３２０は上室外枠３２１及び下室外枠３１１を主に備える。
【００３１】
下室外枠３１１の底部には、室外バリア３１６が取り付けられ、下室内枠３１２の底部には、下室内バリア３１７及び下側ウインドバリア３１８が取り付けられる。下室内バリア３１７は、下側ウインドバリア３１８よりも外側に取り付けられる。室外バリア３１６、下室内バリア３１７、及び下側ウインドバリア３１８は、弾性体、例えばゴムから成る。上室外枠３２１の頂部には、上室内バリア３２７及び上側ウインドバリア３２８が取り付けられる。上室内バリア３２７は、上側ウインドバリア３２８よりも外側に取り付けられる。上室内バリア３２７及び上側ウインドバリア３２８は、弾性体、例えばゴムから成る。
【００３２】
２つの中間カーテンウォールユニット３００を鉛直方向上下に並べて建築物２０に取り付けた状態において、室外バリア３１６は上室外枠３２１の頂部に密着し、上室内バリア３２７と下室内バリア３１７とは水平方向に重なり合いながら密着し、上側ウインドバリア３２８と下側ウインドバリア３１８とは鉛直方向に密着する。これにより、室外バリア３１６、上室内バリア３２７、及び下室内バリア３１７は、水が外部から進入することを防止し、上側ウインドバリア３２８及び下側ウインドバリア３１８は、風が室内に侵入することを防止する。またこのとき、鉛直方向上方に位置する中間カーテンウォールユニット３００の下通気口３６１と、鉛直方向下方に位置する中間カーテンウォールユニット３００の上通気口３６２とが、鉛直方向から見て重なり合い、連通する。これにより、鉛直方向上方に位置する中間カーテンウォールユニット３００の中間空気層３６３と、鉛直方向下方に位置する中間カーテンウォールユニット３００の中間空気層３６３とが、鉛直方向から見て重なり合い、連通する。
【００３３】
図２及び５を参照して、給気用カーテンウォールユニット１００について説明する。給気用カーテンウォールユニット１００は、室外側パネル１０１と、上室内側パネル１０２ａと、下室内側パネル１０２ｂと、給気ユニット１４０と、上枠１２０とを一体的に備えるユニット式のカーテンウォールユニットである。
【００３４】
室外側パネル１０１、上室内側パネル１０２ａ、下室内側パネル１０２ｂ、及び上枠１２０については、中間カーテンウォールユニット３００において用いられているものと略同様であるため、説明を省略する。中間空気層１６３内には、ブラインド１０３が設けられる。ユーザは図示されない操作手段を用いてブラインド１０３を開閉できる。
【００３５】
図５を参照すると、給気ユニット１４０は、給気用カーテンウォールユニット１００の外部から中間空気層１６３に空気を取り入れるユニットであって、アルミニウム合金から成るルーバー１４１及び内枠１４２を主に備え、下室外枠１１１及び下室内枠１１２に取り付けられるとともに、内枠１４２に取り付けられたアングル材及びボルト等１６０を用いてスラブ２１ｃに固定される。ルーバー１４１と内枠１４２との間に換気経路１４３が形成される。換気経路１４３は、給気ユニット１４０の頂部を経て下通気口１６１に連通する。下通気口１６１は、中間空気層１６３を鉛直方向に向けて中間カーテンウォールユニット３００の外部に連通させる。
【００３６】
図２及び６を参照して、排気用カーテンウォールユニット５００について説明する。排気用カーテンウォールユニット５００は、室外側パネル５０１と、上室内側パネル５０２ａと、下室内側パネル５０２ｂと、排気ユニット５４０と、下枠５１０とを一体的に備えるユニット式のカーテンウォールユニットである。
【００３７】
室外側パネル５０１、上室内側パネル５０２ａ、下室内側パネル５０２ｂ、及び下枠５１０については、中間カーテンウォールユニット３００において用いられているものと略同様であるため、説明を省略する。中間空気層５６３内には、ブラインド５０３が設けられる。ユーザは図示されない操作手段を用いてブラインド５０３を開閉できる。
【００３８】
図６を参照すると、上枠５１０は、上室外枠５１１及び上室内枠５１２を主に備える。水平方向から見たとき、上室外枠５１１は、上室内枠５１２よりも鉛直下方に位置する。上室内枠５１２は、アングル材及びボルト等５６０を用いてスラブ２１ａに固定される。排気ユニット５４０は、排気用カーテンウォールユニット５００の外部に中間空気層５６３から空気を排出するユニットであって、アルミニウム合金から成るルーバー５４１及び内枠５４２を主に備え、上室外枠５１１及び上室内枠５１２に取り付けられる。ルーバー５４１と内枠５４２及び上室内枠５１２との間に換気経路５４３が形成される。換気経路５４３は、排気ユニット５４０の底部を経て上通気口５６２に連通する。上通気口５６２は、中間空気層５６３を鉛直方向に向けて中間カーテンウォールユニット３００の外部に連通させる。ルーバー５４１の最下部には、トラップ５４４が設けられる。これにより、外部から排気ユニット５４０内に進入した水が受け止められて排気ユニット５４０の外部に排出され、中間空気層５６２まで進入しない。
【００３９】
図２、５、及び６を参照して、給気用カーテンウォールユニット１００、中間カーテンウォールユニット３００、及び排気用カーテンウォールユニット５００を建築物２０に取り付けた状態、すなわち多層換気式のカーテンウォールとして用いる状態について説明する。給気用カーテンウォールユニット１００、中間カーテンウォールユニット３００、及び排気用カーテンウォールユニット５００は、鉛直下方から順に鉛直方向に沿って建築物２０の躯体に配置される。このとき、鉛直方向下側に設けられたカーテンウォールユニットの上通気口が、鉛直方向上側に設けられたカーテンウォールユニットの下通気口と連通する。外部からルーバー１４１を介して給気ユニット１４０内に進入した空気は、換気経路１４３及び下通気口１６１を経て、中間空気層１６３に進入する。中間空気層１６３に進入した空気は、中間空気層１６３内で温められて、鉛直上方に上昇し、上枠１２０内の上通気口を経て、中間カーテンウォールユニット３００の下通気口３６１から中間空気層３６３に進入する。中間空気層３６３に進入した空気は、中間空気層３６３内で更に温められて鉛直上方に上昇し、上通気口３６２を経て、鉛直上方に取り付けられたもう1枚の中間カーテンウォールユニット３００の下通気口３６１から中間空気層３６３に進入する。そして、中間空気層３６３内で更に温められて、鉛直上方に上昇し、鉛直上方に取り付けられた排気用カーテンウォールユニット５００の下通気口から中間空気層５６３に進入する。中間空気層５６３に進入した空気は、中間空気層５６３内で更に温められて、鉛直上方に上昇し、上通気口５６２及び換気経路５４３を経て、ルーバー５４１から外部に放出される。これにより、中間空気層１６３、３６３、５６３内の高温の空気が外部に排出される。
【００４０】
本実施形態によれば、建築物の複数階層に渡って、カーテンウォールユニット内部の空気を換気できる。また、本実施形態によるカーテンウォールユニットを用いて建築物の外壁を構成すれば、外壁の意匠に統一感を持たせることができる。
【００４１】
また、カーテンウォールユニットを鉛直方向に並べて躯体に取り付けるのみで、上通気口３６２、５６２と下通気口１６１、３６１とを容易に連通させ、カーテンウォールユニット内部の空気を換気できる。
【００４２】
なお、給気ユニット１４０は給気用カーテンウォールユニット１００の一部であるとして、また排気ユニット５４０は排気用カーテンウォールユニット５００の一部であるとして説明したが、給気ユニット１４０は、給気用カーテンウォールユニット１００とは別体の給気口ユニットとして設けられてもよく、排気ユニット５４０は、排気用カーテンウォールユニット５００とは別体の排気ユニットとして設けられてもよい。
【００４３】
また、中間カーテンウォールユニット３００の上部に排気ユニット５４０を設け、下部に給気ユニット１４０を設けて、あるいは排気ユニット１４０のみで、単層換気式のカーテンウォールユニットとしてもよい。このようなカーテンウォールユニットを本実施形態によるカーテンウォールユニットと共に建築物２０の外壁として用いれば、同様の意匠を有するカーテンウォールユニットで単層換気及び多層換気を実現できるため、外壁の意匠に統一感を持たせることができる。
【００４４】
なお、ルーバー１４１及び５４１が設けられなくてもよい。
【００４５】
また、給気ユニット１４０が設けられなくてもよい。このとき、下通気口１６１が直接外部に面し、空気は、外部から下通気口１６１を経て中間空気層１６３に進入する。またこのとき、給気用カーテンウォールユニット１００は、スラブ２１ｃの直上に取り付けられ、下通気口１６１がスラブ２１ｃに例えば対向等することが好ましい。
【００４６】
また、排気ユニット５４０が設けられなくてもよい。このとき、上通気口５６２が直接外部に面し、中間空気層５６３内で温められた空気は、上通気口５６２から外部に放出される。またこのとき、排気用カーテンウォールユニット５００は、軒天の直下に取り付けられ、上通気口５６２が軒天に例えば対向等することが好ましい。
【００４７】
さらに、中間カーテンウォールユニット３００の下通気口３６１が直接外部に面し、空気が外部から下通気口３６１を経て中間空気層３６３に進入するよう構成されてもよく、中間カーテンウォールユニット３００の上通気口３６２が直接外部に面し、中間空気層５６３内で温められた空気が上通気口５６２から外部に放出されるよう構成されてもよい。
【００４８】
なお、本明細書および図中に示した各部材の大きさは例示であって、これらの大きさに限定されない。また、各部材の素材は例示であって、これらの素材に限定されない。
【００４９】
ここに付随する図面を参照して本発明の実施形態が説明されたが、記載された発明の範囲と精神から逸脱することなく、変形が各部の構造と関係に施されることは、当業者にとって自明である。
【図１】
0006662718.tif 000002
【図２】
0006662718.tif 000003
【図３】
0006662718.tif 000004
【図４】
0006662718.tif 000005
【図５】
0006662718.tif 000006
【図６】
0006662718.tif 000007